(57)【要約】 【課題】個々の靴使用者の状態、特に外反母趾の予防乃至進行の防止に有効に対応することができ、靴使用者の疲労についても防止できる靴類の内底及び靴用中敷などの上面形状の簡単な修正方法と該修正方法に使用する修正部材を提供する【解決手段】靴類の内底Ｋ（中敷を含む）の上面形状を修正する靴類の内底Ｋなどの修正方法において、前記上面における足裏本体部の母趾付け根骨部分の略周囲の足裏に対応する靴類の内底Ｋの上面位置に、肉厚形状の修正部材１を粘着（接着を含む）により固定させる【選択図】  図２
2017164302.tif 000002
【特許請求の範囲】
【請求項１】
靴類の内底又は中敷の上面形状を修正する靴類の内底などの修正方法において、
前記上面における足裏本体部の母趾付け根骨部分の足裏に対応する靴類の内底又は中敷の上面位置に、肉厚形状の修正部材を粘着若しくは接着により固定させ、これにより前記上面の凹凸形状を修正させるようにした靴類の内底などの修正方法。
【請求項２】
前記修正部材は、低反発スポンジ部材よりなり、前記足裏本体部の母趾の付け根骨部分の略周囲の足裏に沿った略三日月形状の外形をなし、修正部材の凹円弧内周が前記付け根骨部分の略周囲の足裏略上側から略内側に沿うように固定させるようにしたことを特徴とする請求項１に記載の靴類の内底などの修正方法。
【請求項３】
前記修正部材は、低反発スポンジ部材よりなり、前記足裏本体部の母趾の付け根骨部分の略周囲の足裏に沿った略三日月形状の外形を有する第一の部分と第一の部分と略同様の外形を有する第二の部分とが、全体として波形に一体に連続された外形を有し、修正部材の第一の部分の凹円弧内周が前記付け根骨部分の略周囲の足裏略上側から略内側に沿うように固定させるとともに、第二の部分が足裏本体部の幅方向に各足趾の付け根骨部分の略周囲の足裏に沿って固定させることを特徴とする請求項１に記載の靴類の内底などの修正方法。
【請求項４】
請求項１又は２に係る靴類の内底などの修正方法に用いる修正部材において、
低反発スポンジ部材よりなり、前記足裏本体部の母趾の付け根骨部分の略周囲の足裏に沿った略三日月形状の外形をなし、少なくともその中間部分の横断面形状が外周縁部を傾斜面とした略台形状若しくは略三角形状をなしていることを特徴とする修正部材。
【請求項５】
請求項１又は３に係る靴類の内底などの修正方法に用いる修正部材において、
低反発スポンジ部材よりなり、前記足裏本体部の母趾の付け根骨部分の略周囲の足裏に沿った略三日月形状の外形を有する第一の部分と第一の部分と略同様の外形を有する第二の部分とが、全体として波形に一体に連続された外形を有し、少なくとも第一の部分と第二の部分の中間部分の横断面形状が外周縁部を傾斜面とした略台形状若しくは略三角形状をなしていることを特徴とする修正部材。
【請求項６】
請求項４又は５に記載の修正部材において、
修正部材の裏面に剥離紙によって保護された粘着剤層又は接着剤層が形成されている靴類の内底などの修正部材。
【発明の詳細な説明】
【技術分野】
【０００１】
本発明は、靴類の使用者の足の状態に応じて、足の状態を正常に保ち、又は矯正するために、靴類の内底又は中敷の上面形状を修正する修正方法及び該修正方法に使用する修正部材に関するものである。
【背景技術】
【０００２】
本出願人（発明者）は、足の健康を維持するために、使用者の足、特に、足裏の状態や足趾（足指）の状態に対応して、足を中心とする劣化を予防するとともに、浮趾、開張足、外反母趾などの足裏や足趾の異常の予防や矯正を目的とする下記特許文献１の靴用中敷及び中敷部品を発明した。
また、クッション機能を有する積層構造の靴用中敷についても各種提案されている（下記特許文献２、３）。
【先行技術文献】
【特許文献】
【０００３】
【特許文献１】特願２０１５−２４５３９１号明細書及び図面
【特許文献２】実用新案登録第３１９５０５６号公報
【特許文献３】特開２００３−２１０２０６号公報
【発明の概要】
【発明が解決しようとする課題】
【０００４】
上記特許文献１に示されているように、２本足で歩行するヒトの足は、全体重を支え、歩く、走るという働きに集中するようにそれに耐えられるように、足底に下記の３つのアーチが形成される（図５参照）。
（１）踵から母趾（親指）の付け根の間：内側縦アーチ
（２）踵から小趾（小指）の付け根の間：外側縦アーチ
（３）母趾（親指）の付け根と小趾（小指）の付け根の間：横アーチ
それぞれのアーチは、筋肉や靱帯で構成され、次のような重要な役割を果たしている。
・足を蹴り出す力（バネ）
・衝撃や負担の吸収
・足底の筋肉や、血管、神経などの保護
横アーチが低下した場合に中足骨が扇状に開き、横に広がることから開張足（かいちょうそく）といい、外反母趾や内反小趾の原因にもなる。また、足を蹴り出すバネの力が弱まり、体のバランスを崩すことになり、足や体への負担が大きくなる。縦アーチが低下した場合には偏平足となる。
開張足の原因は、遺伝や運動不足、足に合わない靴などがあるが、根源的には、踵が内側（母趾側）や外側（小趾側）に傾く、回内足や回外足を原因とする。直立した足を後ろから見て、アキレス腱が地面に対して内側に傾いている状態を回内足といい、外側に傾いている状態を回外足という。日本人では、人口の約７０％が回内足と言われ、過度に傾いた「過回内足」という状態になると足のトラブルや体の不調を引き起こす要因となる。
【０００５】
上記過回内足の傾向にある人が、靴を履いて足を蹴りだすときに、足が内側に傾いて、その第一中足骨頭（母趾の付け根）に圧力がかかり、靴の内部で足が前に滑ると同時に母趾が小趾側に旋回してしまう。このようにして回内足が進行すると、足裏のアーチを支える長母趾屈筋、長趾屈筋、前脛骨筋、後脛骨筋等の筋力が弱くなり、外反母趾、偏平足や開張足等の様々な問題を引き起こす。
外反母趾の進行は、踵骨が内側へ過剰に傾くことによって（過回内足）歩行のバランスが悪化し、足の筋力低下や趾の付根の靱帯がゆるんで横アーチが崩れ、趾の付根の巾が広がってしまう（開張足）ことが原因であり、母趾が小趾側へ旋回し、母趾の付根の関節がくの字のように突出し痛みがでるようになる。靴使用者の体型、年齢、歩行状態などに応じて、その症状と進行状態は様々である。
【０００６】
下駄、草履を履いていた時代には、足趾の間に鼻緒があり、蹴りだす際の支えになり、足趾に力が入りやすかった。足趾に力が入ると足趾に踏ん張りが効き、てこの原理で踵が上がりやすくなる。これにより、脚の筋肉と一体の毛細血管が活発に動き、血流、代謝がよくなる。靴を履くことにより、足趾の上記踏ん張る力が弱まると、てこの原理が弱まって踵も上がりにくくなる。蹴り出しの時に、足を踏ん張れるようにするためには、足趾が靴の中で動かないようにすることが大切である。
【０００７】
本発明に係る靴類の内底などの修正方法及び修正部材では、ワンタッチによる簡易な方法で、足、特に母趾が靴の中で動かないようにしている。
【０００８】
特許文献２には、上面にアーチ形状を有する３層構造のインソールが示されているが、個々の靴使用者の状態、特に外反母趾の予防乃至進行の防止に対応する構造ではない。
特許文献３に記載の靴用中敷は、三層構造になり、加熱した金型で一体成型した三層構造になり、構造的にも複雑で、個々の靴使用者の状態、特に外反母趾の予防乃至進行の防止に有効に対応することは困難である。
【０００９】
そこで本発明は、上記問題点に鑑み、個々の靴使用者の状態、特に外反母趾の予防乃至進行の防止に有効に対応することができ、靴使用者の疲労についても防止できる靴類の内底（靴用中敷を含む、以下同じ）などの上面形状の簡単な修正方法を提供することを目的としている。
本発明は、外反母趾の予防乃至進行の防止のみならず、上記開張足や偏平足の予防乃至進行の防止にも有効に対応することができることを目的としている。
【００１０】
また、本発明では、個々の靴類使用者の状態に容易に対応した靴類の内底などの上面形状のワンタッチによる簡単な修正方法に使用する修正部材を提供し、セット商品等、多樣な部品商品としても使用できる修正部材を提供することを目的としている。
【課題を解決するための手段】
【００１１】
次に、上記の課題を解決するための手段を、実施の形態に対応する図面を参照して説明する。
【００１２】
請求項１に係る本発明は、靴類の内底Ｋ（中敷を含む、以下同じ）の上面形状を修正する靴類の内底Ｋなどの修正方法において、前記上面における足裏本体部の母趾付け根骨部分（第一中足骨の足裏本体側の骨頭部及び関節部）の略周囲の足裏に対応する靴類の内底Ｋの上面位置に、肉厚形状の修正部材１（１０１）を粘着（接着を含む、以下同じ）により固定させ、これにより前記上面の凹凸形状を修正させるようにした靴類の内底などの修正方法にある。
【００１３】
上記修正方法では、上記靴類の内底Ｋの上面位置に、修正部材１（１０１）を、ワンタッチで粘着により固定させて、靴類の内底Ｋの上面凹凸形状を修正させることができる。これにより、靴類内部での、足の移動、母趾の前滑り、それに伴う回旋が防止され、外反母趾の予防乃至進行の防止のみならず、上記開張足や偏平足の予防乃至進行の防止にも有効に対応することができる。
【００１４】
請求項２に係る本発明は、前記修正部材１は、低反発スポンジ部材よりなり、前記足裏本体部の母趾の付け根骨部分の略周囲の足裏に沿った略三日月形状の外形をなし、修正部材の凹円弧内周が前記付け根骨部分の略周囲の足裏略上側から略内側に沿うように固定させるようにしたことを特徴とする靴類の内底などの修正方法にある。
【００１５】
上記修正方法では、修正部材１が靴類使用者の足裏本体部の母趾の付け根骨部分の略周囲の足裏に沿って固定され、靴類使用者に違和感がなく、上記靴類内部での母趾の前滑り、それに伴う回旋が一層有効に防止される。
【００１６】
請求項３に係る本発明は、前記修正部材１０１は、低反発スポンジ部材よりなり、前記足裏本体部の母趾の付け根骨部分の略周囲の足裏に沿った略三日月形状の外形を有する第一の部分１０１Ａと第一の部分と略同様の外形を有する第二の部分１０１Ｂとが、全体として波形に一体に連続された外形を有する。修正部材の第一の部分１０１Ａの凹円弧内周が前記付け根骨部分の略周囲の足裏略上側から略内側に沿うように固定させるとともに、第二の部分１０１Ｂが足裏本体部の幅方向に各足趾の付け根骨部分の略周囲の足裏に沿って固定させることを特徴とする靴類の内底などの修正方法にある。
【００１７】
上記修正方法では、修正部材１０１が靴類使用者の足裏本体部の足趾の付け根骨部分の略周囲の足裏に沿って固定され、靴類使用者に違和感がない。また、第一の部分１０１Ａが上記靴類内部での母趾の前滑り、それに伴う回旋を防止し、第二の部分１０１Ｂが足全体の靴内での前滑りを有効に防止する。
【００１８】
請求項４に係る本発明は、上記本発明の修正方法に用いる修正部材１において、
低反発スポンジ部材よりなり、前記足裏本体部の母趾の付け根骨部分の略周囲の足裏に沿った略三日月形状の外形をなし、少なくともその中間部分の横断面形状が外周縁部１ａを傾斜面とした略台形状若しくは略三角形状をなしていることを特徴とする修正部材１にある。
【００１９】
上記修正部材１を、足裏本体部の母趾の付け根骨部分の略周囲の足裏に粘着させるだけのワンタッチによる簡易な作業により、靴内部での、足の移動、母趾の前滑り、それに伴う回旋が、修正部材１によって阻止されて押さえられ、防止される。上記粘着位置は、靴使用者の年齢や症状に応じて、靴使用者本人などが簡単に調整して定めることができる。これにより、靴使用者の年齢や症状などの状態に対応した外反母趾の予防乃至進行の防止のみならず、上記開張足や偏平足の予防乃至進行の防止にも有効に対応することができる。
上記母趾の付け根骨部分の略周囲の足裏は、前縁が母趾の折り曲げ関節部に、後縁が土踏まずの後凹部に、側縁が第二趾（図５参照）との間の側凹部に囲まれた略伏せ椀型の突出部となっているが、修正部材１はこのような突出部の前縁から側凹部に沿って粘着すれば良く、その粘着位置を容易に定めることが出来、靴使用者に違和感がない。
また、二個の修正部材１を使用し、一方の修正部材１を母趾の付け根骨部分の略周囲の足裏の上記突出部の前側から側部にかけて粘着し、他方の修正部材１を足裏の幅方向に沿った各母趾の付け根部分の足裏に粘着させて使用することができる。
【００２０】
請求項５に係る本発明は、上記の修正方法に用いる修正部材１０１において、
低反発スポンジ部材よりなり、前記足裏本体部の母趾の付け根骨部分の略周囲に沿った略三日月形状の外形を有する第一の部分１０１Ａと第一の部分と略同様の外形を有する第二の部分１０１Ｂとが、全体として波形に一体に連続された外形を有し、少なくとも第一の部分と第二の部分の中間部分の横断面形状が外周縁部１０１ａを傾斜面とした略台形状若しくは略三角形状をなしていることを特徴とする修正部材１０１にある。
【００２１】
上記修正部材１０１では、靴類使用者の足裏本体部の足趾の付け根骨部分の略周囲の足裏に沿って固定され、靴類使用者に違和感がない。また、第一の部分１０１Ａが上記靴類内部での母趾の前滑り、それに伴う回旋を防止し、第二の部分１０１Ｂが足全体の靴内での前滑りを有効に防止する。
【００２２】
請求項６に係る本発明は、上記修正部材１（１０１）の裏面に剥離紙２によって保護された粘着剤層又は接着剤層が形成されている靴類の内底などの修正部材１（１０１）にある。
【００２３】
上記修正部材１（１０１）では、靴使用者の状態に合わせた靴内底の位置に、剥離紙２を剥がして、ワンタッチで容易に修正部材を粘着して使用することができる。
【００２４】
上記修正部材１（１０１）は、靴又は靴用中敷のユーザー（医療施術関係者、靴類屋又は靴類の使用者）に提供するセット商品等、多樣な商品として有効である。修正部材１（１０１）に、剥離紙によって保護された粘着剤層又は接着剤層を設けない時には、セット商品中に、接着剤を追加するようにしても良い。
【００２５】
上記本発明に係る修正方法に用いる修正部材は、靴内底に対して、部分的で薄い形状であり、容易に後付けできるところから、サンダルやミュールなど、踵壁のないタイプの靴（履物）にも適応できる。
【発明の効果】
【００２６】
本発明に係る修正方法では、既設の靴又は靴用中敷の内底の上面位置に、修正部材をワンタッチで粘着により固定させて、靴類の内底Ｋの上面凹凸形状を容易に修正させることができる。これにより、靴類内部での、足の移動、母趾の前滑り、それに伴う回旋が防止され、外反母趾の予防乃至進行の防止のみならず、上記開張足や偏平足の予防乃至進行の防止にも有効に対応することができる。
【００２７】
請求項２に係る本発明の修正方法では、修正部材が靴類使用者の足裏本体部の母趾の付け根骨部分の略周囲の足裏に沿って固定され、靴類使用者に違和感がなく、上記靴類内部での母趾の前滑り、それに伴う回旋が一層有効に防止される。
【００２８】
請求項３に係る本発明の修正方法では、修正部材が靴類使用者の足裏本体部の足趾の付け根骨部分の略周囲の足裏に沿って固定され、靴類使用者に違和感がない。また、第一の部分靴類内部での母趾の前滑り、それに伴う回旋を防止し、第二の部分が足全体の靴内での前滑りを有効に防止することができる。
【００２９】
請求項４又は５に係る本発明の修正部材を用いることにより、本発明の修正方法の実施を容易に行わせることができる。
本発明に係る修正部材を、足裏本体部の母趾の付け根骨部分の略周囲の足裏に粘着させるだけのワンタッチによる簡易な作業により、靴内部での、足の移動、母趾の前滑り、それに伴う回旋が、修正部材によって阻止されて押さえられ、防止される。
上記粘着位置は、靴使用者の年齢や症状に応じて、靴使用者本人などが簡単に調整して定めることができる。これにより、靴使用者の年齢や症状などの状態に対応した外反母趾の予防乃至進行の防止のみならず、上記開張足や偏平足の予防乃至進行の防止にも有効に対応することができる。
本発明の修正部材は、足裏に形成される凹部に沿って粘着すれば良く、その粘着位置を容易に定めることが出来、靴使用者に違和感がない。
【００３０】
本発明の請求項５に係る修正部材では、靴類使用者の足裏本体部の足趾の付け根骨部分の略周囲の足裏の凹部に沿って固定され、靴類使用者に違和感がない。また、第一の部分が上記靴類内部での母趾の前滑り、それに伴う回旋を防止し、第二の部分が足全体の靴内での前滑りを有効に防止する。
【００３１】
本発明の請求項６の修正部材では、靴使用者の状態に合わせた靴内底の位置に、剥離紙を剥がして、ワンタッチで容易に修正部材を粘着して使用することができる。上記修正部材は、靴又は靴用中敷のユーザー（医療施術関係者、靴類屋又は靴類の使用者）に提供するセット商品等、多樣な商品として有効である。
【００３２】
本発明に係る修正方法に用いる修正部材は、靴内底に対して、部分的で薄い形状であり、容易に後付けできる。
【図面の簡単な説明】
【００３３】
【図１】本発明に係る修正方法に使用する修正部材の正面図（ａ），底面図（ｂ），断面図（ｃ）である。
【図２】本発明に係る修正方法を説明する図であって、上記修正部材を靴内底面に固定させた状態を示す平面図である。
【図３】本発明に係る修正方法に使用する他の実施態様に係る修正部材の正面図（ａ），底面図（ｂ），断面図（ｃ）である。
【図４】本発明に係る修正方法を説明する図であって、上記他の実施態様に係る修正部材を靴内底面に固定させた状態を示す平面図である。
【図５】足裏に形成される縦横のアーチを説明する図である。
【発明を実施するための形態】
【００３４】
（実施形態１）
図１及び図２は、実施形態１に係る修正方法及び修正部材を示す。
以下、図１及び図２を参照して、本発明の実施形態１に係る修正方法及び修正部材１を説明する。
【００３５】
実施形態１に係る修正方法は、靴類の内底Ｋ（中敷を含む、以下同じ）の上面形状を修正する靴類の内底Ｋなどの修正方法において、前記上面における足裏本体部の母趾付け根骨部分（第一中足骨の足裏本体側の骨頭部及び関節部）の略周囲の足裏に対応する靴類の内底Ｋの上面位置に、肉厚形状の修正部材１を粘着（接着を含む、以下同じ）により固定させ、これにより前記上面の凹凸形状を修正させるようにしている。
【００３６】
実施形態１に係る上記修正部材１は、低反発スポンジ部材よりなり、前記足裏本体部の母趾の付け根骨部分の略周囲の足裏に沿った略三日月形状の外形をなし、修正部材の凹円弧内周が前記付け根骨部分の略周囲の足裏略上側から略内側に沿うように固定される。
【００３７】
修正部材１は、靴類の内底Ｋの横幅の略半分の横幅であり、少なくともその中間部分の横断面形状が外周縁部１ａを傾斜面とした略台形状若しくは略三角形状をなし、その頂部１ｂが台形の平坦頂面とされている。図においてｃ−ｃ線は、靴類の内底Ｋの縦中心線である。
【００３８】
修正部材１の裏面には、剥離紙２によって保護された粘着剤層又は接着剤層が形成されている。
【００３９】
上記母趾の付け根骨部分の略周囲の足裏は、前縁が母趾の折り曲げ関節部に、後縁が土踏まずの後凹部に、側縁が第二趾（図５参照）との間の側凹部に囲まれた略伏せ椀型の突出部となっているが、修正部材１はこのような突出部の前縁から側凹部に沿って、剥離紙２を剥がして粘着されている。
【００４０】
また、二個の修正部材１を使用し、一方の修正部材１を母趾の付け根骨部分の略周囲の足裏の上記突出部の前側から側部にかけて粘着し、他方の修正部材１を足裏の幅方向に沿った各趾の付け根部分の足裏に粘着させて使用することができる。
【００４１】
上記修正方法では、上記靴類の内底Ｋの上面位置に、修正部材１を、剥離紙２を剥がして、ワンタッチで粘着により固定させて、靴類の内底Ｋの上面凹凸形状を修正させることができる。これにより、靴類内部での、足の移動、母趾の前滑り、それに伴う回旋が防止され、外反母趾の予防乃至進行の防止のみならず、上記開張足や偏平足の予防乃至進行の防止にも簡単且つ有効に対応することができる。
【００４２】
上記修正方法では、修正部材１が靴類使用者の足裏本体部の母趾の付け根骨部分の略周囲の足裏に沿って固定され、靴類使用者に違和感がなく、上記靴類内部での母趾の前滑り、それに伴う回旋が一層有効に防止される。
【００４３】
（実施形態２）
図３及び図４は、実施形態２に係る修正方法及び修正部材を示す。
以下、図３及び図４を参照して、本発明の実施形態２に係る修正方法及び修正部材１０１を説明する。
【００４４】
実施形態２に係る修正部材１０１は、低反発スポンジ部材よりなり、前記足裏本体部の母趾の付け根骨部分の略周囲の足裏に沿った略三日月形状の外形を有する第一の部分１０１Ａと第一の部分と略同様の外形を有する第二の部分１０１Ｂとが、全体として波形に一体に横方向に連続された外形を有する。第一の部分１０１Ａと第一の部分１０１Ｂとを角度を設けて連続させるようにしても良い。修正部材１０１は、少なくとも第一の部分１０１Ａと第二の部分１０１Ｂの中間部分の横断面形状が、外周縁部１０１ａを傾斜面とし、頂部１０１ｂを台形の平坦面とした略台形状若しくは略三角形状をなしている。
【００４５】
修正部材１０１の第一の部分１０１Ａの凹円弧内周が前記付け根骨部分の略周囲の足裏略上側から略内側に沿うように固定されるとともに、第二の部分１０１Ｂが足裏本体部の幅方向に各足趾の付け根骨部分の略周囲の足裏に沿って固定される。
【００４６】
上記修正方法では、修正部材１０１が靴類使用者の足裏本体部の足趾の付け根骨部分の略周囲の足裏に沿って固定され、靴類使用者に違和感がない。また、第一の部分１０１Ａが上記靴類内部での母趾の前滑り、それに伴う回旋を防止し、第二の部分１０１Ｂが足全体の靴内での前滑りを有効に防止する。
【００４７】
実施形態２において、上記実施形態１に対応する図面の構成部分には、共通の参照符号を付して、その詳細な説明は省略した。
【符号の説明】
【００４８】
１，１０１    修正部材
１ａ，１０１ａ    外周縁部、１ｂ，１０１ｂ    頂部
２    剥離紙
１０１Ａ    第一の部分
１０１Ｂ    第二の部分
Ｋ    靴の内底
【図１】
2017164302.tif 000003
【図２】
2017164302.tif 000004
【図３】
2017164302.tif 000005
【図４】
2017164302.tif 000006
【図５】
2017164302.tif 000007